(57)【要約】  容器に収容される液体の中にガスを放出する装置であって、圧縮ガスの供給源と、前記圧縮ガスの供給源と連通する流体内に置かれるフロートと、前記圧縮ガスの供給源および前記フロートと連通する流体内に置かれるガス解放部材とを備える。前記ガス解放部材は、前記液体の中にガスを放出するのに適している。前記フロートは、当該フロートと前記ガス解放部材を当該フロートの浮力に応じて上昇および下降させる可変的な浮力を有し、前記フロートの浮力は、前記ガスが前記液体の中に解放されるのに伴って減少する。【特許請求の範囲】
【請求項１】
容器に収容される液体の中にガスを放出する装置であって、
a.圧縮ガスの供給源を含むガス組み立て体と、
b.前記圧縮ガスの供給源と連通する流体内に置かれるフロートと、
c.前記圧縮ガスの供給源および前記フロートと連通する流体内に置かれるガス解放部材であり、前記液体の中にガスを放出するのに適しているガス解放部材と、を備え、
前記フロートは、当該フロートと前記ガス解放部材を当該フロートの浮力に応じて上昇および下降させる可変的な浮力を有し、前記フロートの浮力は、前記ガスが前記液体の中に解放されるのに伴って減少する装置。
【請求項２】
前記圧縮ガスの供給源は、前記容器の外側に提供されるのに適しており、
前記フロートおよび前記ガス解放部材は、前記容器の内部に収納されるのに適している請求項１に記載の装置。
【請求項３】
前記膜は、前記ガス組み立て体と前記フロートとの間に伸びている請求項１または２に記載の装置。
【請求項４】
前記膜は、前記圧縮ガスの供給源と前記フロートとの間に部分的に伸びている請求項１乃至３の何れか１項に記載の装置。
【請求項５】
前記膜は、フレキシブルなチューブを備える請求項３に記載の装置。
【請求項６】
前記フロートは、当該フロートが上昇および／または下降するのに伴ってそのフロートを概して横に移動させる流体力学効果を生み出すように成形されている請求項１乃至５の何れか１項に記載の装置。
【請求項７】
前記フロートは、一つ以上の横方向に延びるフィンを備えている請求項６に記載の装置。
【請求項８】
前記ガスの供給源から前記フロートおよび膜へのガスの流れを制御する弁を更に備える請求項１に記載の装置。
【請求項９】
前記ガスは、酸素、二酸化硫黄、二酸化炭素、および／または窒素の一つ以上の単独あるいは併用であるか、その一つ以上を備えている請求項１乃至８の何れか１項に記載の装置。
【請求項１０】
前記ガスは酸素であるか、酸素を備えている請求項１乃至９の何れか１項に記載の装置。
【請求項１１】
前記ガスは、一つ以上の風味またはアロマが吹き込まれている請求項１乃至１０の何れか１項に記載の装置。
【請求項１２】
液体の中にガスを放出する方法であって、
a.液体を収容している容器を提供する工程と、
b.ガスの供給源と、前記ガスの供給源と連通する流体内に置かれるフロートと、前記ガスの供給源および前記フロートと連通する流体内に置かれるガス解放部材とを提供する工程と、
c.前記フロートおよび前記ガス解放部材を前記容器の中の前記液体の中に配置する工程と、
d.前記ガス解放部材および前記フロートの中にガスを配給することで、前記フロートの浮力を増加させ、前記液体の中に前記ガス解放部材を通して前記ガスの供給源からガスを放出し、それにより前記フロートの浮力を減少させる工程と、
e.前記フロートの相対的な浮力に応じて前記容器の中の液体の範囲内で前記フロートが上昇および下降するのを許容する工程と、
を備える方法。
【請求項１３】
前記フロートの内部の圧力が上方閾値に達したときに前記ガスの供給源からのガスの流れが減少または阻止され、前記フロートの内部の圧力が下方閾値に低下したときに前記ガスの供給源から前記フロートおよび前記ガス解放部材へと前記ガスが流れるのを許容するように、前記ガスの供給源から前記フロートおよび前記ガス解放部材へのガスの流れを制御する工程を更に備える請求項１２に記載の方法。
【請求項１４】
前記ガスの供給源から前記フロートおよび前記ガス解放部材へのガスの流れが、第１の期間に亘ってガスが放出されて第２の期間に亘ってガスが放出されないというサイクルで周期的に制御される請求項１２または１３に記載の方法。
【請求項１５】
前記サイクルは、約２０分と約２４時間との間である請求項１４に記載の方法。
【請求項１６】
前記フロートは、当該フロートが上昇および下降する際に前記容器の中の前記液体の範囲内で横に移動する請求項１２乃至１５の何れか１項に記載の方法。
【請求項１７】
前記ガスは、酸素、二酸化硫黄、二酸化炭素、および／または窒素の一つ以上であるか、その一つ以上を備える請求項１２乃至１６の何れか１項に記載の方法。
【請求項１８】
前記ガスは酸素であるか、酸素を備える請求項１２乃至１７の何れか１項に記載の方法。
【請求項１９】
前記液体は飲料である請求項１２乃至１８の何れか１項に記載の方法。
【請求項２０】
前記飲料はワインである請求項１９に記載の方法。
【発明の詳細な説明】
【技術分野】
【０００１】
この開示は、液体へのガスの放出のための装置および方法に関する。
【背景技術】
【０００２】
ワインの色、味および口あたりを改良するために、ワインは一般にしばらくの間熟成させられる。その熟成プロセスは、伝統的にオーク樽の中で行われてきた。オークは、少量の酸素を自然に取り入れ、それがワインのタンニンを発現させて、結果としてより味のよい製品を生み出す。ワインの生産量が増大するのに伴い、ワインメーカーは、より多くの生産量を可能とするために大きな鉄製タンクの中でワインを生産するようになっている。しかしながら、鉄は酸素を浸透させないためワインの熟成を阻害する。その代わりに、ワインメーカーは、樽の中に浸透する酸素を模倣するために専用のマイクロ酸素化システムを用いている。マイクロ酸素化処理は、色、味および口あたりを改良するだけでなく、成熟処理の速度を速め、未処理のワインおよび樽熟成のワインに比べて、ワインが市場に出荷されるまでの時間枠を短縮することができる。周知のマイクロ酸素化システムが有する主な欠点は、システムの初期コストと複雑さが、多くのワインメーカーにとって過剰な負担となることである。
【発明の概要】
【発明が解決しようとする課題】
【０００３】
周知のマイクロ酸素化システムは、概してバブルプルーム拡散法で作動する。この方法は、ディフューザを通してタンクの底部付近に酸素の小さな泡を放出する工程を伴う。その酸素は、上方へ移動するにつれてワインに吸収される。このような方法の有効性は、泡のサイズとタンクの深さによって決せられる。
【０００４】
本発明の少なくとも好ましい実施形態の目的は、液体の品質を改善するために液体中にガスを放出するための装置および方法を提供することである。本発明の少なくとも好ましい実施形態の更なるまたは代替の目的は、公衆に対して少なくとも役に立つ代替を提供することである。
【課題を解決するための手段】
【０００５】
本発明の第１の態様によれば、容器に収容される液体の中にガスを放出する装置であって、
a.圧縮ガスの供給源を含むガス組み立て体と、
b.前記圧縮ガスの供給源と連通する流体内に置かれるフロートと、
c.前記圧縮ガスの供給源および前記フロートと連通する流体内に置かれるガス解放部材であり、前記液体の中にガスを放出するのに適しているガス解放部材と、を備え、
前記フロートは、当該フロートと前記ガス解放部材を当該フロートの浮力に応じて上昇および下降させる可変的な浮力を有し、前記フロートの浮力は、前記ガスが前記液体の中に解放されるのに伴って減少する装置が提供される。
【０００６】
実施形態において、前記圧縮ガスの供給源は、前記容器の外側に提供されるのに適しており、前記フロートおよび前記ガス解放部材は、前記容器の内部に収納されるのに適している。代替の実施形態において、圧縮ガスの供給源、フロートおよびガス解放部材は、容器内に収容されるのに適した完全独立の組み立て体である。
【０００７】
実施形態において、前記膜は、前記ガス組み立て体と前記フロートとの間に伸びている。
【０００８】
実施形態において、前記膜は、前記圧縮ガスの供給源と前記フロートとの間に部分的に伸びている。
【０００９】
実施形態において、前記膜は、フレキシブルなチューブを備えている。
【００１０】
実施形態において、前記フロートは、当該フロートが上昇および／または下降するのに伴ってそのフロートを概して横に移動させる流体力学効果を生み出すように成形されている。
【００１１】
実施形態において、前記フロートは、一つ以上の横方向に延びるフィンを備えている。
【００１２】
実施形態において、前記装置は、前記ガスの供給源から前記フロートおよび膜へのガスの流れを制御する弁を更に備えている。
【００１３】
実施形態において、前記ガスは、酸素、二酸化硫黄、二酸化炭素、および／または窒素の一つ以上の単独あるいは併用であるか、その一つ以上を備えている。
【００１４】
実施形態において、前記ガスは酸素であるか、酸素を備えている。
【００１５】
実施形態において、前記ガスは、一つ以上の風味またはアロマが吹き込まれている。
【００１６】
本発明の第２の態様によれば、液体の中にガスを放出する方法であって、
a.液体を収容している容器を提供する工程と、
b.ガスの供給源と、前記ガスの供給源と連通する流体内に置かれるフロートと、前記ガスの供給源および前記フロートと連通する流体内に置かれるガス解放部材とを提供する工程と、
c.前記フロートおよび前記ガス解放部材を前記容器の中の前記液体の中に配置する工程と、
d.前記ガス解放部材および前記フロートの中にガスを配給することで、前記フロートの浮力を増加させ、前記液体の中に前記ガス解放部材を通して前記ガスの供給源からガスを放出し、それにより前記フロートの浮力を減少させる工程と、
e.前記フロートの相対的な浮力に応じて前記容器の中の液体の範囲内で前記フロートが上昇および下降するのを許容する工程と、
を備える方法が提供される。
【００１７】
実施形態において、前記方法は、前記フロートの内部の圧力が上方閾値に達したときに前記ガスの供給源からのガスの流れが減少または阻止され、前記フロートの内部の圧力が下方閾値に低下したときに前記ガスの供給源から前記フロートおよび前記ガス解放部材へと前記ガスが流れるのを許容するように、前記ガスの供給源から前記フロートおよび前記ガス解放部材へのガスの流れを制御する工程を更に備える。
【００１８】
実施形態において、前記ガスの供給源から前記フロートおよび前記ガス解放部材へのガスの流れは、第１の期間に亘ってガスが放出されて第２の期間に亘ってガスが放出されないというサイクルで周期的に制御される。
【００１９】
実施形態において、前記サイクルは、約２０分と約２４時間との間である。
【００２０】
実施形態において、前記フロートは、当該フロートが上昇および下降する際に前記容器の中の前記液体の範囲内で横に移動する。
【００２１】
実施形態において、前記ガスは、酸素、二酸化硫黄、二酸化炭素、および／または窒素の一つ以上であるか、その一つ以上を備えている。
【００２２】
実施形態において、前記ガスは酸素であるか、酸素を備えている。
【００２３】
実施形態において、前記液体は飲料である。
【００２４】
実施形態において、前記飲料はワインである。
【００２５】
この明細書および請求項において用いられている「備えている」との用語は、「部分的に少なくとも存在する』ことを意味している。「備えている」という用語を含むこの明細書および請求項の記載を解釈する際には、各記載においてこの用語で始まる特徴とは別の他の特徴も存在することができる。「備える」および「備えられる」のような関連用語は、同様の方法で解釈されるものとする。
【００２６】
本願明細書において開示される数の範囲の参照（例えば、１〜１０）は、その範囲内にすべての有理数の参照（例えば、１、１．１、２、３、３．９、４、５、６、６．５、７、８、９および１０）も、更に、その範囲内の有理数のいかなる範囲（例えば、２〜８、１．５〜５．５および３．１〜４．７）も組み込み、そして従って、本願明細書に明示されるすべての範囲のすべてのサブレンジがここに明示されることが意図されている。これらは、特に意図されることの例に過ぎず、列挙された最も低い値と最も高い値の間の数値のすべての可能な組み合わせが、同様の方法で本出願において明確に述べられていると考えられるものとする。
【００２７】
本発明に関する当業者に対して、数多くの構造の変化並びに大きく異なる実施形態および本発明の応用は、添付の特許請求の範囲に記載の本発明の要旨を逸脱しない範囲でそれ自身を示唆している。本願明細書の開示および説明は純粋に例示であり、かつ、いかなる意味においても制限的なことを目的とするものではない。本発明が関連する周知の等価物を有する特定の整数が本願明細書において言及されている場合、そのような周知の等価物はあたかも個々に記載されているかのように本願明細書に組み込まれたものとみなされる。
【００２８】
本明細書で用いている名詞後の（ｓ）という用語は、その名詞の複数および／または単数形を意味する。
【００２９】
本明細書で用いている用語「および／または」は「および」または「または」、あるいは文脈が許す場合にはそれらの双方を意味する。本発明は、先に述べたものの中に存在しておりかつ、以下に例としてのみ提示する構造を更に想定している。
【図面の簡単な説明】
【００３０】
以下、下記内容の添付図面を参照して例示としてのみ、本発明について説明する。
【図１】圧縮ガス供給源、レギュレータ、弁およびそれらの構成要素のためのハウジングの分解斜視図である。
【図２】圧縮ガス供給源、レギュレータおよび弁を収容しているハウジングの斜視図である。
【図３】一緒に組み立てられる圧縮ガス供給源、レギュレータおよび弁の斜視図である。
【図４】フロートの分解斜視図である。
【図５】相対的に浮力のない位置におかれたフロートを伴う装置の斜視図である。
【図６】相対的に浮力のある位置におかれるフロートを伴う装置の斜視図である。
【図７】代替の実施形態のフロートの正面図である。
【図８】図７のフロートの斜視図である。
【図９】図７のフロートの側面図である。
【図１０】相対的に負の浮力の構成におかれた代替の実施形態のフロートの斜視横断面である。
【図１１】相対的に正の浮力の構成におかれた代替の実施形態のフロートの斜視横断面である。
【図１２】相対的に正の浮力の位置におかれた図５の装置を有するタンクの斜視透視図である。
【図１３】相対的に負の浮力の位置におかれた図５の装置を有するタンクの斜視透視図である。
【図１４】容器内に置かれた膜とフロートを伴い、他の構成要素がタンクの外部に配置されることになるタンクの斜視投資図である。
【図１５】装置をモニタし、および／または制御するための制御系を示す。
【図１６】時間の経過に伴う膜圧のグラフを示す。
【図１７】時間の経過に伴う膜圧のグラフを示す。
【図１８】本発明の装置の実施形態、既存のマイクロ酸素化システム、および制御によって扱われたピノノワールを比較した集計属性ランキングを示す。
【図１９】本発明の装置の実施形態、既存のマイクロ酸素化システム、および制御によって扱われたメルロを比較した集計属性ランキングを示す。
【図２０】トライアルの間の酸素の放出のグラフを示す。
【図２１】トライアルの間に集められた酸素の放出のグラフを示す。
【発明を実施するための形態】
【００３１】
図１乃至６、１２および１３を参照して、容器１００に収容された液体の中にガスを放出するための好適な実施形態の装置を示す。この装置は、概して参照符号１によって示される。容器１００は、バット、樽、タンク、貯蔵部、または液体の貯蔵、熟成および／または輸送に用いられる他のいかなる容器であってもよい。その容器は、鉄タンク、または繰り返し使用されることにより樽孔が詰まってしまった場合には、伝統的な木樽であってもよい。
【００３２】
装置１は、ガスカートリッジ３の形をとる圧縮ガス供給源と、フロート５と、膜７の形をとるガス放出部材とを備える。ガスカートリッジは、圧力レギュレータ９およびパイロット弁１１と繋がっている。圧力フィードバックチューブ１３と共に、弁１１は、チューブ１０を経由してカートリッジから膜７に向かうガスの流れを制御する。弁１１が開閉する圧力は、膜の拡散速度と適合している。圧力レギュレータ９、チューブ１０、パイロット弁１１およびフィードバックチューブ１３は、蓋１５を有するハウジング１６の中に収容される。圧力レギュレータは、調節可能であってもよい。フロート５の特徴および機能は、シリンジと類似している。プランジャは、すべり摩擦を殆どまたは全く有しない膜シールを備えていてもよい。
【００３３】
ガスがガスカートリッジ３からフロート５まで解放されることができるように、フロート５はガスカートリッジ３と流体を連通させる状態にある。膜７は、ガスカートリッジ３およびフロート５と流体を連通させる状態にある。特に、膜７は、ガスカートリッジ３からフロート５までガスを配送する。膜７は、液体Ｌへガスを放出するのにも適している。
【００３４】
図４乃至図６を参照して、フロートの第１の実施形態を示す。フロート５は、フロート５の浮力に応じて液体Ｌ中でフロート５を上昇および下降させる可変的な浮力を有する。フロート５は、ハウジング１７と、膜７と流体を連通させる状態にあるガスポート１８とを有している。
【００３５】
ハウジング１７は、ハウジングのフランジ２０に接続するキャップ１９も含んでいる。ハウジング１７の中には、スプリング２１、スペーサ２３、および軸２７を有するプランジャ２５が備えられている。スペーサ２３は、スプリングの張力を設定し、そのスプリング張力を調整するために取り除いて、より短い、またはより長いスペーサに置き換えることができる。スプリングの張力は、膜７の拡散速度と適合している。スペーサ２３およびスプリング２１は、エンドキャップ１９によってハウジング１７の中に保持されている。ガスポート１８は、ガスが膜７の内部と、ポート１８とプランジャ２５の間のハウジング１７の内部との間を流れることができるように、膜７に連結している。
【００３６】
始めにガスが膜７およびフロート５の中に放出されると、相対的に高いガス圧が、プランジャとスプリング２１に作用し、プランジャ２５をエンドキャップ１９に向けて移動させる。これにより、フロート５は相対的に正の浮力を有し、図６に示すように液体Ｌの中で浮き上がる。時間の経過に伴ってガスが膜７を通って放出され、フロート５内の圧力が低下する。スプリング２１は、プランジャ２５をエンドキャップ１９から遠ざける方向に移動させる。フロートは、相対的に負の浮力を持つことになり、図６に示すように降下する。
【００３７】
図７乃至図９を参照して、代替の実施形態のフロート１０５を示す。この代替の実施形態のフロート１０５は、図４乃至図６との関係で図示および説明したフロートと同様の特徴および機能を有しており、同様の参照符号は同様の部分を表すのに用いられている。相違点は、フロート１０５が、液体の中で上昇および／または下降する際にフロート１０５を横に移動させる流体力学の効果を生み出すように形作られていることである。
【００３８】
図示される実施形態において、フロート１０５は、横方向に延びるフィン１２９を一つ以上備えている。図示される好適な実施形態において、フロートは、２つのフィン１２９を備えている。フィン１２９は、上から見ると実質的に矩形であるが、六角形、円形、或いは三角形のような他の形状であってもよい。フィン１２９は、フロートハウジングの長さと関連して特定の角度に伸びる。その角度は、フロートが液体Ｌの中で上昇または下降する際にフロートを横に移動させる流体力学の効果を有している。
【００３９】
加えて、上述した如何なる実施形態も、フロートがガスで満ちる際に流体が急速に変位して流体力学の力を生成するようにフロート設計の中に流体ジェットを作り出すことにより横への移動をも提供する場合がある。更に、または代替として、横の移動は、形作られた膜によって提供される場合があり、つまり、膜はカーブした形状を有していてもよい。
【００４０】
この実施形態において、エンドキャップ１１９は、フロート１０５が容器１００の中で移動する際に、その垂直方向を維持するためのウエイトでもある。ウエイト１１９は、フロートハウジング１１７のフランジ１２０に取り付けられる。
【００４１】
図１０および図１１を参照して、フロート２０５の第３の実施形態を示す。第３の実施形態のフロート２０５は、図４乃至図６との関係で図示および説明した第１の実施形態のフロートと同様の特徴および機能を有しており、同様の参照符号は同様の部分を表すのに用いられている。このフロートは、ハウジング２１７、ピストン２２５、およびシール２１６を備えている。１つの違いは、そのシール２１６が、ピストンが移動する際にハウジングに沿って摺動するのではなく、ピストンが移動する際に、要求に応じて形状を変化させるローリングシールであることである。これにより、ピストンの動作に伴う摩擦は、殆ど或いは全く発生しない。
【００４２】
ローリングシール２１６は、ハウジング２１７に取り付けられると共にピストン２２５に取り付けられる。図１０に示す位置からピストン２２５が移動するに連れて、図１１に示す状況に至るまで、ローリングシール２１６は展開する。フロート５が液体の中を移動するにつれて、膜７は液体Ｌの中を進行させられる。膜７は、フロート５／１０５が液体Ｌの中を移動する際の移動と変形の双方のために適切な柔軟性を有している。例えば、図５および図１３は、フロート５が負の浮力を示すため、膜７が、ハウジング１６からまっすぐ下に降下した状態を示している。図６および図１２は、フロート５が正の浮力を示し、かつハウジング１６から離れているため、膜７がカーブした形状を有している状態を示している。
【００４３】
図示される実施形態において、膜７は、ハウジング１６とフロート５の間に伸びている。代替の実施形態では、膜７が、ハウジング１６とフロート５の間で部分的に伸びる場合がある。この代替の実施形態において、装置１は、ハウジング１６から膜７まで伸びている透過性の低い、または極めて透過性の低いチューブを有する場合がある。加えて、または代替として、装置は、フロートから膜７まで伸び非透過性のチューブを有する場合がある。
【００４４】
膜７は、液体内にガスを放出するシリコーンチューブを備える。幾つかの代替の実施形態において、膜は、他のガス透過性材料で形成される場合がある。ガスは、泡として、または液体内に直接溶解して、液体内に拡散する場合がある。適切な市販されている膜の例の二例は、以下の通りである。
【００４５】
Saint-Gobain製造のTygon 3350
材料：プラチナ硬化シリコーンチューブ
長さ：２メートル
膜の内径：３ｍｍ
膜の外径：６ｍｍ
膜の厚さ：１．５ｍｍ
【００４６】
Saint-Gobain製造のVersilic SPX-50
材料：シリコン管
長さ：２メートル
膜の内径：３ｍｍ
膜の外径：６ｍｍ
膜の厚さ：１．５ｍｍ
【００４７】
概して、膜の長さは（これに限定されるものではないが）０．５ｍ〜５ｍの間のどこかから変動する場合がある。その長さは、特定のワイン、および／またはワイン容器のサイズおよびそこに貯留されるワインの量から要求される酸素放出レートによって選択され、または決定されることは考慮されるべきである。幾つかの特定のワインのための酸素放出レートの例は以下の通りである。
メルロ：１〜５ｍｇ／Ｌ／月
ピノノワール：１〜２ｍｇ／Ｌ／月
シャルドネ：１〜２ｍｇ／Ｌ／月
【００４８】
膜７の長さは、例えば、大凡、０．６ｍ、０．７ｍ、０．８ｍ、０．９ｍ、１．０ｍ、１．１ｍ、１．２ｍ、１．３ｍ、１．４ｍ、１．５ｍ、１．６ｍ、１．７ｍ、１．８ｍ、１．９ｍ、２．０ｍ、２．１ｍ  ２．２ｍ、２．３ｍ、２．４ｍ、２．５ｍ、２．６ｍ、２．７ｍ、２．８ｍ、２．９ｍ、３．０ｍ、３．１ｍ  ３．２ｍ、３．３ｍ、３．４ｍ、３．５ｍ、３．６ｍ、３．７ｍ、３．８ｍ、３．９ｍ、４．０ｍ、４．１ｍ、４．２ｍ、４．３ｍ、４．４ｍ、４．５ｍ、４．６ｍ、４．７ｍ、４．８ｍ、４．９ｍ、または５．０ｍである場合がある。
【００４９】
膜の長さは、酸素放出レートを決定するために調整することのできる数多くのパラメータのうちの１つである。他のパラメータには、圧力、膜の材料、膜の厚さ、膜の直径、およびワインそれ自体が含まれる。
【００５０】
ガスは、酸素、亜硫酸ガス、二酸化炭素および／または窒素の一つ以上の単独または組み合わせであり、或いはその単独または組み合わせを備える。好適な実施形態では、そのガスは酸素であり、或いは酸素を備える。幾つかの実施形態において、ガスには、オークのような一つ以上の風味またはアロマが吹き込まれる場合がある。
【００５１】
装置の内部に酸素と一緒に更なるガスを含ませる利点は、追加のガスが、風味、色および／またはテクスチャを改良し、或いは望ましくない特徴を取り除くための直接的な反応をワインの内部で生じさせることである。
【００５２】
一の実施形態において、ガスカートリッジ３、フロート５および膜７は、容器１００の内部に全体が収容されるのに適した完全独立の組み立て体である。すなわち、その組み立て体の如何なる部分も容器１００の外側には存在しない。図５および図６は、その実施形態を示している。この実施形態の利点は、何らの変形や外部器材を必要とすることなく、その装置が従前のワインタンクまたはワイン樽と共に用い得るということである。この装置は、一旦容器１００の中に導入されれば、殆ど、或いは全く、オペレータによる入力を必要としない。
【００５３】
図１４は、フロート５と膜７は容器１００の中に提供される場合があるが、その他の構成要素が容器の外に提供されることになる代替の実施形態を示す。特に、ガスカートリッジ３、圧力レギュレータ９、および弁１１は容器１００の外に置かれる場合がある。
【００５４】
チューブは、容器１００の開口、入口ポートまたは栓を通って延びることができ、液体Ｌ内の膜７にガスを供給することができる。他の代替の実施形態では、栓／蓋の代わりにハウジングを容器１００の外に設置することができる。
【００５５】
それらの構成要素はハウジング１６の中にある場合がある。この実施形態の利点は、ガスカートリッジ３にアクセスしてそれが作動していることを確認し、また、ガスカートリッジ３を交換することが、オペレータにとって相対的に容易なことである。
【００５６】
液体と接触する装置の各要素は食品グレードの材料とされている。例えば、膜は食品グレードのシリコンにより、また、ハウジング、フロートハウジング、およびエンドキャップは夫々食品グレードのプラスチック材料により形成されている。弁は真鍮とステンレス鋼で形成されており、また、カートリッジは鉄で形成されている。
【００５７】
次に、液体内にガスを放出する方法について説明する。その方法は、容器１００内の液体の中に、ガスカートリッジと弁１１を収容するハウジングとフロートとを設置する工程備える。
【００５８】
使用に際して、ガスは弁１１を通してガスカートリッジ３から膜７の中に放出される。ガス圧は、フロート５のプランジャ２７に作用してプランジャを上方へ移動させ、そして、フロートは浮力を得て上方へ浮かび上がる。膜７およびフロート５内の圧力は、弁１１にフィードバックされ、これを閉弁させる。ガスは、膜７を通して液体内に拡散される。フロート５内の圧力が中間の圧力に減少すると、浮力が負となってフロート５は沈下する。ガスは、膜７を通して液体内に広まり続ける。低圧側の閾値において弁１１が開き、上記のサイクルが再び開始される。
【００５９】
図１５は、装置の代替の実施形態をモニタリングし、および／または制御する制御システムを示す。この代替実施形態の制御系は、複数のセンサからのフィードバックに基づいて電磁弁を作動させることにより、ガスカートリッジからフロートと膜にガスを提供するために作動する。図１５は、圧力を制御するための一つの可能な方法を示すに過ぎないことは理解されるべきである。他の方法も可能である。図１５では、酸素ボンベ３と圧力レギュレータ９の間に圧力センサ１３を示している。他のプレッシャセンサ３３が、フロートに位置するか、または膜内の圧力を測定するために位置する場合がある。温度センサ３５は、タンク内のワインの温度を測定する。周辺温度センサ３７は、周囲温度を測定する。このシステムは、３９において、周辺温度センサ、圧力センサおよびタンクの温度センサから受け取ったデータに基づく信号調整を実施する。データは、次いでマイクロコントローラに送信され、そこから弁ドライバに、電磁弁を作動させるための信号が送信される。フロート内のガスの圧力が低圧側の閾値に到達すると、制御システムは電磁弁を作動させる。このシステムは、一つの低圧側閾値と、一つの高圧側閾値をもっている場合がある。あるいは、このシステムは、圧力閾値の帯において作動する場合がある。
【００６０】
図１６および１７は、システムが圧力の帯において作動する時間の経過に伴うフロート膜内の圧力のグラフを示す。各グラフは、膜の圧力が２つの圧力帯の間で、個々の圧力帯の範囲内で行き来する様子を示している。一つの帯は、相対的に高い圧力を有し、ワインのタンク内で相対的に高く位置するフロートに対応している。圧力帯の範囲内で、そのグラフは、圧力が時間の経過に伴って変化し、約１．６バールと約１．７バールの間で行き来することを示している。
【００６１】
もう一つのバンドは、相対的に低い圧力を有し、ワインのタンク内で低く位置するフロートに対応している。例えば、そのフロートは、タンクの中央またはその近傍に位置し、或いはタンクの底部またはその近傍に位置する場合がある。圧力帯の範囲内で、そのグラフは、圧力が時間の経過に伴って変化し、約１．３バールと約１．４バールの間で行き来することを示している。
【００６２】
フロートは、圧力が２つの帯の間を遷移する際に、図１６及び図１７の場合には１．５バールである中立浮力点を通過することにより移動する。加えて、浮力が負である（または低圧側の圧力帯の中にある）場合のフロートの位置は、膜の長さによって決められる。浮力が正である（または上方の圧力帯の中にある）場合、フロートは液体の表面上に残ることになる。
【００６３】
中立浮力の圧力は、以下の手法で決定することができる。
１．フロート圧をゼロとする（または、膜内に何らかの酸素が入れられる前にこれを行う）。
２．３０秒毎に０．０５バール増加といった程度で膜内の圧力をゆっくりと上昇させる。
３．膜内の圧力を連続的にモニタする。
４．圧力が中立浮力点に届き、かつそれを越えると、フロートが液体の中で上昇し、それにより静水圧が減少することにより、静水圧の変化の投影である膜内の圧力変化が検出できる。
【００６４】
ハウジング１６は、液体Ｌに浮く場合があり、また、容器１００の底に向かって下方へ移動する場合がある。ハウジングは、カートリッジ３の中に残っている酸素の量に応じて、傾き、浮き、または下方へ移動する場合がある。膜７とフロート５が移動するのに加えて、ハウジング１６も移動する場合がある。
【００６５】
膜７を動かすことで、液体Ｌのタンクの全体に、酸素をより良好に全体的に分配することが可能となる。周期的に膜７を動かすことにより、膜が静止または相対的に静止している場合と比較して、液体のより多大な割合が膜７に隣接して来ることとなる。その結果、アクティブなフロートは、静止または相対的に静止した膜と比較して、より有効なマイクロ酸素化処理を提供する。
【００６６】
液体Ｌの中でアクティブなフロートを動かすことにより、膜７の外側周辺に酸素が蓄積してしまうのを防ぐことができ、または少なくとも実質的に妨げることができ、或いは、膜が静止している場合と比べて少なくとも相対的に減少させることができる。膜を通して酸素を液体に導入する処理は、濃度差によって進められる。膜７のまわりの液体が酸素で過剰飽和してしまうと、膜７を通した酸素の放出レートが低減され、或いは完全に停止されてしまう場合さえある。膜７を周期的に動かすことで、酸素の飽和を防止し、或いは少なくとも実質的に妨げることができる。装置が、図７乃至図９に関連して図示および説明したフロート１０５を備える場合は、上昇または下降するのに伴い、容器内の液体の中でフロートが横に移動する。
【００６７】
一の実施形態において、ガスの流れは、第１の期間に亘りガスが放出され、第２の期間に亘りガスが放出されないサイクルにおいて、周期的に制御される。
【００６８】
この方法は、好ましくは多数のサイクルに亘って実施され、また、それらのサイクルは最低で１ヵ月以上繰り返される。このサイクルは、約２０分と約２４時間との間である場合がある。酸素放出のレートは、時間の経過に伴うリットル当たりの酸素量が異なるように制御される場合がある。一の例は以下の通りである。１ヶ月目は、リットル当たりの酸素を５ｍｇとする。２ヵ月目は、リットル当たりの酸素を３ｍｇとする。３ヵ月目は、リットル当たりの酸素を１ｍｇとする。
【００６９】
幾つかの実施形態において、この方法は、出荷前にワインを『開かせる』ために、１リットルのワインに対して１ｍｇの酸素を適用することを含む場合がある。ワインの輸送の間に、本願明細書に記載した装置および方法を用いて酸素を適用することも可能である。
【００７０】
作動パラメータは、処理される液体のタイプに応じて調整されることになる。この装置および方法は、ラム、ビール、酢、シェリー、ウィスキーまたはブランデのエイジングのために用いられる場合がある。
【００７１】
実験結果
上記の好適な実施形態の装置および方法を用いることで、以下の初期結果が得られた。
【００７２】
メルロ
膜タイプ：Ｔｙｇｏｎ  ３３５０
膜の長さ：２ｍ
膜の平均圧力：１．４５バール
平均膜サイクルタイム：５５分
酸素放出レート：１ヵ月につき１５．４５グラム
ワインの容積：１１，０００リットル
【００７３】
ピノノワール
膜タイプ：Ｔｙｇｏｎ  ３３５０
膜の長さ：１ｍ
膜の平均圧力：１．２５バール
平均膜サイクルタイム：５５分
酸素放出レート：1ヵ月につき７．１８グラム
ワインの容積：１１，０００リットル
【００７４】
好適な実施形態の装置を用いて処理されたワインと、酸素処理が施されていない同じワインとについて比較試験を実施した。処理済みのワインは、未処置のワインと比較して風味の違いを呈し、処理済みのワインの酸素化とエイジングを示すものであった。
【００７５】
トライアルの背景
液体の中にガスを放出する装置の実施形態の適合性とパフォーマンスを試験するために更に詳細なトライアルを実行した。このトライアルは、装置の実施形態を評価し、かつ、既存のマイクロ酸素化システムおよび制御と比較するために設計された。この制御は、いかなるマイクロ酸素化システムも用いないワインである。トライアルは、６つのタンクおよび２種類のワインについて実施された。環境要因は、ワイン製造の活動において経過する時間と同様に再現された。例えば、全てのタンクは、同じ時間の量だけ外部の酸素に晒された。
【００７６】
ワインは、トライアルの全体に亘って能動的にモニタされ、その結果のワインはトライアルの全体に亘り定期的に独立した研究室によりって評価された。
【００７７】
タンクセットアップ
トライアルには６つのタンクが含まれ、各タンクは以下の寸法を有していた。
・高さ：２．５ｍ
・直径：２．３５ｍ
・容量：１１，０００
【００７８】
タンクのワインタイプと酸素処理レート
タンク１：
１ヵ月１リットルにつき１ｍｇの酸素放出レートで２ヵ月間、装置の実施形態でピノノワールを処理
タンク２：
１ヵ月１リットルにつき１ｍｇの酸素放出レートで２ヵ月、競合者の装置でピノノワールを処理
タンク３：
１ヵ月１リットルにつき０ｍｇの酸素放出レートで２ヵ月、ピノノワールを制御
タンク４：
１ヵ月１リットルにつき２ｍｇの酸素放出レートで１ヵ月、１ヵ月１リットルにつき１ｍｇの酸素放出レートで１ヵ月、装置の実施形態でメルロを処理
タンク５：
１ヵ月１リットルにつき、２ｍｇの放出レートで１ヶ月、１ｍｇの酸素放出レートで１ヵ月、競合者の装置でメルロを処理
タンク６：
１ヵ月１リットルにつき酸素０ｍｇで２ヶ月メルロを制御
【００７９】
ワインメーカーの目標
各ワインの目標および特徴は、トライアルの開始前に決定された。ピノノワールは、「ワインにより多くの深さおよびフルネスを与えるためにボディを造ってタンニンを軟化する」ことを必要とした。メルロは、味覚全体に深さを持ち込み、後味のドライさをより少なくするために、タンニンを精製して軟化することを必要とした。これらの開発目標は、タンクワインタイプ処理酸素レートとの関係で上述した通り、品種ごとに必要とされる酸素フローレートを決定した。
【００８０】
トライアルの監視
ブラインドテイスティング
開発目的に対する進展を評価するために、ワインメーカーは、二週間に一回の間隔で各ワインの系統的なブラインドテイスティングを行った。各サンプルは、その個々の属性に着目して、その品種の範囲内で、それらを他のブラインドサンプルと比較して、その味および開発が評価された。
【００８１】
独立研究室での分析
各ワインのサンプルが採取され、ワイン分析を専門に扱っている独立研究室に送付され、そこでは、トライアル前とトライアル後にベーシックワインパネルが各サンプルに亘って実行された。このパネル分析は、ワインのｐＨ、滴定酸度（ＴＡ）、遊離および総二酸化硫黄、アルコール、酢酸、ブドウ糖／フルクトース、リンゴ酸の測定から成っている。二週間に一回のテストおよび分析も、サンプルのレンジに亘ってその研究室によって行われた。これに加えて、ワインメーカーもワインの化学分析を行い、トライアルの全体に亘り温度、溶融酸素、色、密度および濁りが測定されると共に、ｐＨ、遊離および総二酸化硫黄、ＴＡ、揮発酸性度の変化が評価された。
【００８２】
リアルタイム遠隔監視
装置は、各ユニットのリアルタイム監視と共に用いられる場合がある。この監視は、酸素の放出レートの遠隔調整と同様にパフォーマンスの監視を可能とする。この監視は、フローレート、圧力、フロート振動、酸素レベルおよび温度に関する有益なフィードバックを提供した。リアルタイム監視はトライアルの間に用いられ、１０週間のトライアルの全体に亘って５分毎に自動的にデータが報告されることで、強力なデータセットが提供された。
【００８３】
トライアルの終わりに当たり、異なる処理が互いに容易に識別可能であったか否かを判断するため、および各ワインの個々の属性を評価するために、ブラインド味覚試験がワインメーカーのパネルによって実行された。パネルは、６つのタンク全体の味覚プロファイルを確立し、競合者の取り扱いによるワインおよび制御ワインとの関係で、好適な実施形態の装置がどの程度実績を上げたかをランキングするとの目標と共に、ブラインドサンプルの提供を受けた。
【００８４】
図１８は、装置の実施形態によって処理されたピノノワール（三角形のシンボルで示す）と、既存のマイクロ酸素化システム（正方形のシンボルで示す）と、制御（円のシンボルで示す）とを比較した集計属性ランキングを示す。
【００８５】
図１９は、装置の実施形態によって処理されたメルロ（三角形のシンボルで示す）と、既存のマイクロ酸素化システム（正方形のシンボルで示す）と、制御（円のシンボルで示す）とを比較した集計属性ランキングを示す。
【００８６】
図１８および図１９から分かるように、集計テイスティングパネル属性ランキングは、装置の実施形態によって処理されたワインは、十項目の異なる属性の夫々の全てに亘り、既存のマイクロ酸素化システムによって処理されたワインおよび制御ワインと同等に、若しくはより上位にランク付けされることを示している。
【００８７】
テイスティングノート
トライアルの全体に亘って取られたテイスティングノートも、好適な実施形態の装置で処理されたワインのサンプルが、各サンプル点の各ワイン品種の中で最も好ましいサンプルであることを証明している。
【００８８】
「赤い果実と風味豊かなハイライトを有する複雑な香り。Ｄ（制御）およびＥ（競合者）より深い味わい。Ｅ（競合者）よりワインの全体の流れに僅かに統合された構造。
【００８９】
「幾つかのスパイスのきいたリフトを伴うスイートブラックベリーのアロマ。エントリでのリッチさと深さ、良質な複雑さは、粒状タンニンと軽い渋みにつながる。これら３つのワインの中で最も柔らかく、バランスが取れている。」
【００９０】
３つのグラスの中で、複雑な風味のよい特色を伴う甘いダークな焼き果実を最も想起させる。実質のある構造のタンニンでありながら、プレート全体に亘り良好に持続するアタックにおいて優れた深さである。飲み終わりに渋みが残らない。深さと構造において全体としてバランスが良好である。」
【００９１】
遠隔データ分析
好適な実施形態の装置を用いることにより生じたデータセットは、好適な実施形態の装置の両ユニットが放出する酸素レートが、ユニット１（メルロ）およびユニット３（ピノノワール）につき夫々１月当たり１３．０４グラムおよび６．６６グラムを放出し、所定の目標の範囲内に留まることをも示している。そのデータは、グラフ化すると、酸素の均一な一貫した流れを示している。これは、酸素の導入に伴うワインの成長を追跡するワインメーカーから受け取るフィードバックと整合している。トライアルの全体に亘ってワインの大樽の全体を３０分毎に振動するアクティブフロートの信頼性に富むパフォーマンスも確認することを推奨する。
【００９２】
独立した研究室での分析
独立した基本パネル試験が実行されている。分析結果は、化学分析の視点からは各品種の３つのサンプル間に如何なる有意な差異も認められないことを示している。これは、好適な実施形態の装置は、ワインに何らの化学的影響を及ぼすことなくワインを効果的に改善していることを示している。
【００９３】
【表１】
2019501773.tif 000002
【００９４】
本発明の好適な実施形態は、ここまで例示の手法でのみ説明されており、本発明の技術的範囲を逸脱することなく、変形例を作成することが可能である。
【図１】
2019501773.tif 000003
【図２】
2019501773.tif 000004
【図３】
2019501773.tif 000005
【図４】
2019501773.tif 000006
【図５】
2019501773.tif 000007
【図６】
2019501773.tif 000008
【図７】
2019501773.tif 000009
【図８】
2019501773.tif 000010
【図９】
2019501773.tif 000011
【図１０】
2019501773.tif 000012
【図１１】
2019501773.tif 000013
【図１２】
2019501773.tif 000014
【図１３】
2019501773.tif 000015
【図１４】
2019501773.tif 000016
【図１５】
2019501773.tif 000017
【図１６】
2019501773.tif 000018
【図１７】
2019501773.tif 000019
【図１８】
2019501773.tif 000020
【図１９】
2019501773.tif 000021
【図２０】
2019501773.tif 000022
【図２１】
2019501773.tif 000023
【手続補正書】
【提出日】平成29年9月18日(2017.9.18)
【手続補正１】
【補正対象書類名】特許請求の範囲
【補正対象項目名】全文
【補正方法】変更
【補正の内容】
【特許請求の範囲】
【請求項１】
容器に収容される液体の中にガスを放出する装置であって、
a.圧縮ガスの供給源を含むガス組み立て体と、
b.前記圧縮ガスの供給源と連通する流体内に置かれるフロートと、
c.前記圧縮ガスの供給源および前記フロートと連通する流体内に置かれるガス解放膜であり、前記液体の中にガスを放出するのに適しているガス解放膜と、を備え、
前記フロートは、当該フロートと前記ガス解放膜を当該フロートの浮力に応じて上昇および下降させる可変的な浮力を有し、前記フロートの浮力は、前記ガスが前記液体の中に解放されるのに伴って減少する装置。
【請求項２】
前記圧縮ガスの供給源は、前記容器の外側に提供されるのに適しており、
前記フロートおよび前記ガス解放膜の少なくとも一部は、前記容器の内部に収納されるのに適している請求項１に記載の装置。
【請求項３】
前記ガス解放膜は、前記ガス組み立て体と前記フロートとの間に伸びる請求項１または２に記載の装置。
【請求項４】
前記ガス解放膜は、前記圧縮ガスの供給源と前記フロートとの間に部分的に伸びている請求項１または２に記載の装置。
【請求項５】
前記ガス解放膜は、フレキシブルなチューブを備える請求項３に記載の装置。
【請求項６】
前記フロートは、当該フロートが上昇および／または下降するのに伴ってそのフロートを概して横に移動させる流体力学効果を生み出すように成形されている請求項１乃至５の何れか１項に記載の装置。
【請求項７】
前記フロートは、一つ以上の横方向に延びるフィンを備えている請求項６に記載の装置。
【請求項８】
前記ガスの供給源から前記フロートおよび前記ガス解放膜へのガスの流れを制御する弁を更に備える請求項１に記載の装置。
【請求項９】
前記ガスは、酸素、二酸化硫黄、二酸化炭素、および／または窒素の一つ以上の単独あるいは併用であるか、その一つ以上を備える請求項１乃至８の何れか１項に記載の装置。
【請求項１０】
前記ガスは酸素であるか、酸素を備える請求項１乃至９の何れか１項に記載の装置。
【請求項１１】
前記ガスは、一つ以上の風味またはアロマが吹き込まれている請求項１乃至１０の何れか１項に記載の装置。
【請求項１２】
液体の中にガスを放出する方法であって、
a.液体を収容している容器を提供する工程と、
b.ガスの供給源と、前記ガスの供給源と連通する流体内に置かれるフロートと、前記ガスの供給源および前記フロートと連通する流体内に置かれるガス解放膜とを提供する工程と、
c.前記フロートおよび前記ガス解放膜を前記容器の中の前記液体の中に配置する工程と、
d.前記ガス解放膜および前記フロートの中にガスを配給することで、前記フロートの浮力を増加させ、前記液体の中に前記ガス解放膜を通して前記ガスの供給源からガスを放出し、それにより前記フロートの浮力を減少させる工程と、
e.前記フロートの相対的な浮力に応じて前記容器の中の液体の範囲内で前記フロートが上昇および下降するのを許容する工程と、
を備える方法。
【請求項１３】
前記フロートの内部の圧力が上方閾値に達したときに前記ガスの供給源からのガスの流れが減少または阻止され、前記フロートの内部の圧力が下方閾値に低下したときに前記ガスの供給源から前記フロートおよび前記ガス解放膜へと前記ガスが流れるのを許容するように、前記ガスの供給源から前記フロートおよび前記ガス解放膜へのガスの流れを制御する工程を更に備える請求項１２に記載の方法。
【請求項１４】
前記ガスの供給源から前記フロートおよび前記ガス解放膜へのガスの流れが、第１の期間に亘ってガスが放出されて第２の期間に亘ってガスが放出されないというサイクルで周期的に制御される請求項１２または１３に記載の方法。
【請求項１５】
前記サイクルは、約２０分と約２４時間との間である請求項１４に記載の方法。
【請求項１６】
前記フロートは、当該フロートが上昇および下降する際に前記容器の中の前記液体の範囲内で横に移動する請求項１２乃至１５の何れか１項に記載の方法。
【請求項１７】
前記ガスは、酸素、二酸化硫黄、二酸化炭素、および／または窒素の一つ以上であるか、その一つ以上を備える請求項１２乃至１６の何れか１項に記載の方法。
【請求項１８】
前記ガスは酸素であるか、酸素を備える請求項１２乃至１７の何れか１項に記載の方法。
【請求項１９】
前記液体は飲料である請求項１２乃至１８の何れか１項に記載の方法。
【請求項２０】
前記飲料はワインである請求項１９に記載の方法。
【手続補正２】
【補正対象書類名】明細書
【補正対象項目名】０００５
【補正方法】変更
【補正の内容】
【０００５】
本発明の第１の態様によれば、容器に収容される液体の中にガスを放出する装置であって、
a.圧縮ガスの供給源を含むガス組み立て体と、
b.前記圧縮ガスの供給源と連通する流体内に置かれるフロートと、
c.前記圧縮ガスの供給源および前記フロートと連通する流体内に置かれるガス解放膜であり、前記液体の中にガスを放出するのに適しているガス解放膜と、を備え、
前記フロートは、当該フロートと前記ガス解放膜を当該フロートの浮力に応じて上昇および下降させる可変的な浮力を有し、前記フロートの浮力は、前記ガスが前記液体の中に解放されるのに伴って減少する装置が提供される。
【手続補正３】
【補正対象書類名】明細書
【補正対象項目名】０００６
【補正方法】変更
【補正の内容】
【０００６】
実施形態において、前記圧縮ガスの供給源は、前記容器の外側に提供されるのに適しており、前記フロートおよび前記ガス解放膜の少なくとも一部は、前記容器の内部に収納されるのに適している。代替の実施形態において、圧縮ガスの供給源、フロートおよびガス解放膜は、容器内に収容されるのに適した完全独立の組み立て体である。
【手続補正４】
【補正対象書類名】明細書
【補正対象項目名】０００７
【補正方法】変更
【補正の内容】
【０００７】
実施形態において、前記ガス解放膜は、前記ガス組み立て体と前記フロートとの間に伸びている。
【手続補正５】
【補正対象書類名】明細書
【補正対象項目名】０００８
【補正方法】変更
【補正の内容】
【０００８】
実施形態において、前記ガス解放膜は、前記圧縮ガスの供給源と前記フロートとの間に部分的に伸びている。
【手続補正６】
【補正対象書類名】明細書
【補正対象項目名】００１２
【補正方法】変更
【補正の内容】
【００１２】
実施形態において、前記装置は、前記ガスの供給源から前記フロートおよび前記ガス解放膜へのガスの流れを制御する弁を更に備えている。
【手続補正７】
【補正対象書類名】明細書
【補正対象項目名】００１６
【補正方法】変更
【補正の内容】
【００１６】
本発明の第２の態様によれば、液体の中にガスを放出する方法であって、
a.液体を収容している容器を提供する工程と、
b.ガスの供給源と、前記ガスの供給源と連通する流体内に置かれるフロートと、前記ガスの供給源および前記フロートと連通する流体内に置かれるガス解放膜とを提供する工程と、
c.前記フロートおよび前記ガス解放膜を前記容器の中の前記液体の中に配置する工程と、
d.前記ガス解放膜および前記フロートの中にガスを配給することで、前記フロートの浮力を増加させ、前記液体の中に前記ガス解放膜を通して前記ガスの供給源からガスを放出し、それにより前記フロートの浮力を減少させる工程と、
e.前記フロートの相対的な浮力に応じて前記容器の中の液体の範囲内で前記フロートが上昇および下降するのを許容する工程と、
を備える方法が提供される。
【手続補正８】
【補正対象書類名】明細書
【補正対象項目名】００１７
【補正方法】変更
【補正の内容】
【００１７】
実施形態において、前記方法は、前記フロートの内部の圧力が上方閾値に達したときに前記ガスの供給源からのガスの流れが減少または阻止され、前記フロートの内部の圧力が下方閾値に低下したときに前記ガスの供給源から前記フロートおよび前記ガス解放膜へと前記ガスが流れるのを許容するように、前記ガスの供給源から前記フロートおよび前記ガス解放膜へのガスの流れを制御する工程を更に備える。
【手続補正９】
【補正対象書類名】明細書
【補正対象項目名】００１８
【補正方法】変更
【補正の内容】
【００１８】
実施形態において、前記ガスの供給源から前記フロートおよび前記ガス解放膜へのガスの流れは、第１の期間に亘ってガスが放出されて第２の期間に亘ってガスが放出されないというサイクルで周期的に制御される。
【国際調査報告】
2019501773.tif 000024
2019501773.tif 000025
2019501773.tif 000026
2019501773.tif 000027
2019501773.tif 000028
2019501773.tif 000029